(57)【特許請求の範囲】
【請求項１】
回転軸と、前記回転軸に固定されたコンミテータと、前記回転軸に固定されたコアと、前記コアに巻回されて前記コンミテータに接続されたコイルと、を有するモータ装置の組立方法であって、
粉状または粒状のバリスタ機能物質を含有し、かつ電磁ノイズを吸収するノイズ吸収接着剤を、前記コイルと前記コンミテータとの接続部を回転させつつ当該接続部に塗布し、前記接続部の周方向に沿う全域を、前記ノイズ吸収接着剤により円周状に被覆することを特徴とするモータ装置の組立方法。
【請求項２】
請求項１記載のモータ装置の組立方法において、前記バリスタ機能物質は、鱗片形状の半導体セラミックであることを特徴とするモータ装置の組立方法。
【請求項３】
請求項１または２記載のモータ装置の組立方法において、前記ノイズ吸収接着剤には、導電性を有する微粒子が混合されていることを特徴とするモータ装置の組立方法。
【発明の詳細な説明】
【技術分野】
【０００１】
本発明は、コンミテータで発生する電磁ノイズを外部に放射しないようにしたモータ装置の組立方法に関する。
【背景技術】
【０００２】
従来、自動車等の車両に搭載されるパワーウィンド装置やサンルーフ装置等における駆動源として、小型でありながら大きな出力が得られる減速機構を備えたモータ装置が用いられている。このモータ装置は、操作者によって車室内等に設けられた操作スイッチを操作することで回転駆動され、これにより、開閉体（ウィンドガラスやサンルーフ等）を開閉駆動するようになっている。
【０００３】
このような開閉体を開閉駆動するモータ装置としては、ブラシ付きのモータ装置が採用され、当該モータ装置は、回転軸と、回転軸に固定されたコンミテータと、回転軸に固定されたコアと、コアに巻回されてコンミテータに接続されたコイルとを備えている。そして、コンミテータには、コイルに駆動電流を供給するための複数のブラシが摺接するようになっている。
【０００４】
ブラシ付きのモータ装置は、駆動状態によってはコンミテータとブラシとの間でサージ電圧（火花）が発生し、当該サージ電圧が発生した場合には、高周波の電磁ノイズとなって外部に放射される。電磁ノイズが外部に放射されると、他の車載機器（カーオーディオや制御機器等）に電磁ノイズが伝搬し、ひいてはラジオノイズの発生や制御機器等の誤作動を招くことになる。そこで、コンミテータにコンデンサーやバリスタ等の雑防素子を電気的に接続して設け、当該雑防素子により電磁ノイズを吸収することが行われている。
【０００５】
このような雑防素子を備えたモータ装置としては、例えば、特許文献１に記載された技術が知られている。特許文献１に記載されたモータ装置は、特に電磁ノイズの発生を許さないＡＶ機器（ＣＤプレーヤやヘッドホンステレオ等）に搭載されるＤＣマイクロモータに関する技術であり、整流子（コンミテータ）にリングバリスタ（雑防素子）を装着している。これにより、整流子とブラシとの間に発生する火花（サージ電圧）を消去（吸収）するようにしている。
【先行技術文献】
【特許文献】
【０００６】
【特許文献１】特開平０８−１４０３１４号公報（図２）
【発明の概要】
【発明が解決しようとする課題】
【０００７】
しかしながら、上述の特許文献１に記載されたモータ装置によれば、整流子の外径に合わせた内径を有するリングバリスタを予め準備し、当該リングバリスタをモータ装置の組立時において整流子の長手方向から装着する必要があった。また、リングバリスタの整流子への装着においては、モータ装置をスムーズに回転駆動させるためにも、整流子の回転中心とリングバリスタの回転中心とを精度良く一致させる必要があった。このように、整流子にリングバリスタを装着するのに複雑な組立作業工程を経る必要があった。さらには、仕様（定格出力等）の異なるモータ装置に対応するには、モータ装置の仕様に対応した径寸法違いのリングバリスタを準備する必要があり、部品管理の煩雑化も招いていた。
【０００８】
本発明の目的は、組立作業工程および部品管理の簡素化を図り、ひいては製造コストを低減し得るモータ装置の組立方法を提供することにある。
【課題を解決するための手段】
【０００９】
本発明のモータ装置の組立方法は、回転軸と、前記回転軸に固定されたコンミテータと、前記回転軸に固定されたコアと、前記コアに巻回されて前記コンミテータに接続されたコイルと、を有するモータ装置の組立方法であって、粉状または粒状のバリスタ機能物質を含有し、かつ電磁ノイズを吸収するノイズ吸収接着剤を、前記コイルと前記コンミテータとの接続部を回転させつつ当該接続部に塗布し、前記接続部の周方向に沿う全域を、前記ノイズ吸収接着剤により円周状に被覆することを特徴とする。
【００１０】
本発明のモータ装置の組立方法は、前記バリスタ機能物質は、鱗片形状の半導体セラミックであることを特徴とする。
【００１１】
本発明のモータ装置の組立方法は、前記ノイズ吸収接着剤には、導電性を有する微粒子が混合されていることを特徴とする。
【発明の効果】
【００１５】
本発明のモータ装置の組立方法によれば、コイルとコンミテータとの接続部に、粉状または粒状のバリスタ機能物質を含有し、電磁ノイズを吸収するノイズ吸収接着剤を塗布するので、塗布したノイズ吸収接着剤がバリスタの機能を発揮する。したがって、従前のようなリングバリスタを予め準備してこれを装着する必要が無くなり、組立作業工程の簡素化を図ることができる。また、コンミテータを回転させつつノイズ吸収接着剤を塗布することで、柔軟性を有する硬化前のノイズ吸収接着剤がコンミテータの周方向に移動し、ノイズ吸収接着剤の周方向に沿う重量バランスが自動的に均一化される。したがって、硬化後のノイズ吸収接着剤はモータ装置のスムーズな回転駆動を阻害することは無い。さらに、塗布したノイズ吸収接着剤がバリスタの機能を有するため、コンミテータの径寸法に依らず所定の塗布作業で種々の仕様のコンミテータ（径寸法の異なるコンミテータ）に対応することができる。したがって、従前のような部品管理が不要となって、当該部品管理を簡素化できる。
【００１６】
本発明のモータ装置の組立方法によれば、バリスタ機能物質は、鱗片形状の半導体セラミックであるので、ノイズ吸収接着剤が硬化して収縮する際に、各半導体セラミックを重なるよう接触させ易くでき、製品毎に電流の流れ具合にバラツキが生じるのを抑制することができる。
【００１７】
本発明のモータ装置の組立方法によれば、ノイズ吸収接着剤には、導電性を有する微粒子が混合されているので、当該微粒子の混合状態（含有割合）を調整することで、ノイズ吸収接着剤を流れる電流を調整することができる。つまり、微粒子の混合状態によりバリスタ機能の特性を調整することができる。
【００１８】
本発明のモータ装置の組立方法によれば、ノイズ吸収接着剤をモータ装置のコイルとコンミテータとの接続部に塗布するので、コイルとコンミテータとの接続部をモータ装置の振動等から保護することができる。
【図面の簡単な説明】
【００１９】
【図１】モータ装置の部分断面図である。
【図２】図１のモータ装置の内部に設けられるアーマチュア，コンミテータ等を示す斜視図である。
【図３】図１のモータ装置のコンミテータの部分を拡大して示す断面図である。
【図４】ノイズ吸収接着剤を構成する物質（含有素材）を説明する説明図である。
【図５】ノイズ吸収接着剤の初期の塗布作業を説明する説明図である。
【図６】ノイズ吸収接着剤の終盤の塗布作業を説明する説明図である。
【発明を実施するための形態】
【００２０】
以下、本発明の一実施の形態について、図面を用いて詳細に説明する。
【００２１】
図１はモータ装置の部分断面図を、図２は図１のモータ装置の内部に設けられるアーマチュア，コンミテータ等を示す斜視図を、図３は図１のモータ装置のコンミテータの部分を拡大して示す断面図を、図４はノイズ吸収接着剤を構成する物質（含有素材）を説明する説明図をそれぞれ表している。
【００２２】
図１ないし図３に示すように、モータ装置としての減速機構付モータ１０は、自動車等の車両に搭載されるパワーウィンド装置（図示せず）の駆動源として用いられ、ウィンドガラスを昇降させるウィンドレギュレータ（図示せず）を駆動するものである。減速機構付モータ１０は、モータ部２０と、当該モータ部２０の回転を減速するギヤ部５０とを備えており、これらのモータ部２０およびギヤ部５０は、複数の締結ネジ１１によってユニット化されている。
【００２３】
モータ部２０は、鋼板をプレス加工することにより、開口部２１を有するよう有底筒状に形成されたヨーク２２を備えている。ヨーク２２の内部には一対のマグネット２３が対向配置され、各マグネット２３の内側には、コイル（第１導電部材）２４が巻回されたコアとしてのアーマチュア２５が回転自在に設けられている。
【００２４】
アーマチュア２５の回転中心には、回転軸としてのアーマチュア軸２６が貫通して固定されている。アーマチュア軸２６の一端側（図中左側）は第１軸受部材２７を介してヨーク２２に回転自在に支持され、アーマチュア軸２６の他端側（図中右側）は第２軸受部材２８を介してブラシホルダ２９に回転自在に支持されている。
【００２５】
アーマチュア軸２６の他端側でアーマチュア２５寄りには、略筒状に形成されたコンミテータ３０が固定されている。コンミテータ３０は複数のコンミテータ片３１を組み合わせて形成され、各コンミテータ片３１の一端側にはライザ（第２導電部材）３１ａがそれぞれ一体に設けられている。各ライザ３１ａはコンミテータ３０の径方向外側に向けて折り返され、各ライザ３１ａにはアーマチュア２５に巻回されたコイル２４の端部がそれぞれ電気的に接続されている。
【００２６】
コイル２４と各ライザ３１ａ（コンミテータ３０）との接続部３２には、当該接続部３２をその全域に亘って覆うようノイズ吸収接着剤４０が設けられている。ノイズ吸収接着剤４０は、コイル２４と各ライザ３１ａとを電気的に接続し、コンミテータ３０の周方向に沿うよう略環状に設けられている。図１ないし図３に示すノイズ吸収接着剤４０は、塗布後の硬化した状態を表している。
【００２７】
ノイズ吸収接着剤４０は、バリスタ（雑防素子）としての機能を発揮するもので、コンミテータ３０と各ブラシ３３との間で生じるサージ電圧（火花）を吸収、つまり電磁ノイズを吸収するようになっている。これにより、コンミテータ３０と各ブラシ３３との間で火花が発生しなくなり、電磁ノイズの外部への放射が防止される。また、火花が発生しないので、各ブラシ３３の早期摩耗が抑制され、減速機構付モータ１０の長寿命化が図れる。さらに、硬化したノイズ吸収接着剤４０は、コイル２４と各ライザ３１ａとの接続部３２を覆うよう保護するため、コンミテータ３０の高速回転時おける遠心力により各ライザ３１ａが拡開し、コイル２４が断線したりするのを防止できる。
【００２８】
コンミテータ３０の外周部分には、ブラシホルダ２９に保持された一対のブラシ３３が摺接するようになっている。各ブラシ３３は一対のバネ部材３４のバネ力によってコンミテータ３０に向けて所定圧で押圧されている。そして、各ブラシ３３に駆動電流を供給することでアーマチュア２５には回転力（電磁力）が発生し、これによりアーマチュア軸２６が所定の回転速度，回転トルクで回転するようになっている。
【００２９】
ギヤ部５０は、ギヤケース５１とコネクタ部材５２とを備えている。ギヤケース５１は、プラスチック等の樹脂材料により有底状に形成され、ヨーク２２の開口部２１にコネクタ部材５２を介して取り付けられている。ギヤケース５１の内部には、外周部にウォーム部５３（詳細図示せず）が一体に設けられたウォーム軸５４と、ウォーム部５３と噛み合わされるギヤ歯（図示せず）を有するウォームホイール５５とが回転自在に収容されている。
【００３０】
ウォーム軸５４はアーマチュア軸２６と同軸上に設けられ、ウォーム軸５４およびアーマチュア軸２６は、連結部材６０を介して一体回転可能に連結されている。ウォーム軸５４の一端側は、ギヤケース５１に固定された第３軸受部材５６により回転自在に支持され、ウォーム軸５４の他端側は、ギヤケース５１に固定された第４軸受部材５７により回転自在に支持されている。
【００３１】
ウォームホイール５５にはピニオン５５ａが一体に設けられ、当該ピニオン５５ａには、ウィンドレギュレータを形成するギヤ（図示せず）が噛み合うようになっている。そして、モータ部２０の回転、つまりアーマチュア軸２６の回転に伴うウォーム軸５４の回転がウォームホイール５５により減速され、高トルク化された出力がピニオン５５ａからウィンドレギュレータのギヤに伝達されるようになっている。ここで、ウォーム軸５４およびウォームホイール５５は、減速機構を形成している。
【００３２】
ウォーム軸５４とアーマチュア軸２６との間には、両者を一体回転可能に連結する連結部材６０が設けられている。この連結部材６０は、アーマチュア軸２６の他端側に装着されたアーマチュア軸側連結部材６１（図２参照）と、ウォーム軸５４の一端側に装着されたウォーム軸側連結部材６２（図１参照）とを備えている。そして、アーマチュア軸側連結部材６１およびウォーム軸側連結部材６２は、減速機構付モータ１０の組立時において、互いに一体回転可能に連結されるようになっている。
【００３３】
コネクタ部材５２は、プラスチック等の樹脂材料により所定形状に形成され、ヨーク２２とギヤケース５１との間に挟持され、当該コネクタ部材５２には、車両側の外部コネクタ（図示せず）が差し込まれるようになっている。コネクタ部材５２の内部には、複数のターミナル（図示せず）がインサート成形により埋設されている。各ターミナルの一端側は外部コネクタの各ターミナル（図示せず）に電気的に接続され、各ターミナルの他端側はセンサ基板５８に電気的に接続されている。これにより、外部コネクタからセンサ基板５８を介して、各ブラシ３３に向けて駆動電流が供給される。
【００３４】
図４は、ノイズ吸収接着剤４０を形成する物質（含有素材）を模式的に示しており、ノイズ吸収接着剤４０は、エポキシ樹脂やアクリル樹脂等よりなるワニス（樹脂）４１をベースとした接着剤となっている。ワニス４１の内部には、粉状または粒状の半導体セラミック４２およびカーボン粒子４３が所定の割合で混合（含有）されている。ここで、半導体セラミック４２は本発明におけるバリスタ機能物質を構成し、カーボン粒子４３は本発明における導電性を有する微粒子を構成している。
【００３５】
半導体セラミック４２は、強誘電体として知られるチタン酸バリウム(BaTiO3)や、誘電率の温度変化が小さいチタン酸ストロンチウム(SrTiO3)や、汎用素子等に使用される酸化亜鉛(ZnO)等の粉末材料を使用し、または粉末材料を高温で焼き固めたブロック体（図示せず）を粉砕し、これにより鱗片形状に形成されている。このように、粉状または粒状の半導体セラミック４２をワニス４１に混合する（含有させる）ことで、ノイズ吸収接着剤４０はバリスタとしての機能を備えることになる。
【００３６】
また、半導体セラミック４２を鱗片形状に形成しているが、これは、ノイズ吸収接着剤４０が硬化して収縮する際に、各半導体セラミック４２を重なるよう接触し易くするためである。このように、各半導体セラミック４２を接触し易くすることで、製品毎にバリスタとしての特性（電流の流れ易さ等）がばらつくのを抑制している。
【００３７】
カーボン粒子４３は、ノイズ吸収接着剤４０のバリスタとしての特性、つまりどの程度で電流を流れるようにするのかを調整する調整剤として機能するもので、カーボン粒子４３の混合量（含有量）を増やせば通電し易く調整され、カーボン粒子４３の混合量を減らせば通電し難く調整される。このようにカーボン粒子４３の混合量を調整することで、モータ特性（モータ仕様）に応じたノイズ吸収接着剤４０を形成できるようになっている。
【００３８】
ここで、本実施の形態においては、18V以上の電圧負荷で電流が流れるようカーボン粒子４３の混合量を調整している。なお、導電性を有する微粒子としてはカーボン粒子４３に限らず、導電性を有する物質であれば銀(Ag)やニッケル(Ni)等、他の微粒子を採用することもできる。
【００３９】
また、ワニス４１を(Va)，半導体セラミック４２を(Ce)，カーボン粒子４３を(C)としたときに、本実施の形態においては、混合比率（含有比率）はVa：Se：C＝1：6：3としている。ここで、減速機構付モータ１０に用いるノイズ吸収接着剤４０のバリスタとしての最適な特性を得るには、ワニス４１の100重量部に対して半導体セラミック４２を200〜1000重量部で高充填するのが望ましい。
【００４０】
次に、以上のように形成した減速機構付モータ１０の組立手順、特にノイズ吸収接着剤４０の接続部３２への塗布作業について、図面を用いて詳細に説明する。
【００４１】
図５はノイズ吸収接着剤の初期の塗布作業を説明する説明図を、図６はノイズ吸収接着剤の終盤の塗布作業を説明する説明図をそれぞれ表している。
【００４２】
まず、図５に示すように、別の組立工程（図示せず）で組み立てたアーマチュアサブ組立体ＳＡを準備する。このアーマチュアサブ組立体ＳＡは、アーマチュア軸２６に、コンミテータ３０，アーマチュア２５およびコイル２４を装着して形成されている。そして、アーマチュアサブ組立体ＳＡを、接着剤塗布機の駆動部（図示せず）にセットする。次いで、接着剤塗布機の駆動部を回転駆動し、図中矢印Ｒの方向にアーマチュアサブ組立体ＳＡを所定の回転数で回転させる。
【００４３】
このとき、駆動部の回転駆動とともに、接着剤塗布機のディスペンサ機構ＤＳが図中矢印Ｍ１の方向に移動し、ディスペンサ機構ＤＳを形成する供給ノズルＮＺが、各ライザ３１ａの他端側（図中右側）の基準位置に配置される。ここで、ディスペンサ機構ＤＳは、柔軟性を有するノイズ吸収接着剤４０を各ライザ３１ａに向けて供給する供給ノズルＮＺと、当該供給ノズルＮＺに向けてノイズ吸収接着剤４０を圧送する供給ポンプＳＰとを備えている。
【００４４】
供給ノズルＮＺが基準位置に配置されると、これに伴い供給ポンプＳＰが駆動され、ノイズ吸収接着剤４０が供給ノズルＮＺを介して各ライザ３１ａの他端側に供給される。このとき、ノイズ吸収接着剤４０は柔軟性を有するため、各ライザ３１ａの径方向内側等に形成される狭い空間内等にも入り込み、コイル２４と各ライザ３１ａとの接続部３２が隙間無く被覆されるようになっている。
【００４５】
その後、駆動部の回転駆動が継続され、かつ供給ノズルＮＺからのノイズ吸収接着剤４０の供給が継続される。そして、各ライザ３１ａの他端側の周方向に沿う全域がノイズ吸収接着剤４０で円周状に被覆される。その後さらに、図６に示すように、ディスペンサ機構ＤＳが図中矢印Ｍ２の方向に移動し、供給ノズルＮＺからノイズ吸収接着剤４０が各ライザ３１ａの一端側（図中左側）に供給される。そして、各ライザ３１ａの他端側と同様に、駆動部の回転駆動が継続され、かつ供給ノズルＮＺからのノイズ吸収接着剤４０の供給が継続される。これにより、各ライザ３１ａの一端側の周方向に沿う全域がノイズ吸収接着剤４０で円周状に被覆される。ここで、モータ仕様によるコンミテータ３０の径寸法違いに対応するには、接着剤塗布機の駆動部の回転速度を調整したり、接着剤塗布機の供給ポンプＳＰを制御して供給ノズルＮＺからのノイズ吸収接着剤４０の供給量を調整したりすれば良い。
【００４６】
次いで、供給ポンプＳＰの駆動が停止されて、供給ノズルＮＺからのノイズ吸収接着剤４０の供給が停止される。その後、駆動部の回転駆動が継続され、硬化前のノイズ吸収接着剤４０がコンミテータ３０の周方向に移動し、ノイズ吸収接着剤４０の周方向に沿う重量バランスが均一化される。これにより、減速機構付モータ１０の回転ムラの発生を抑制している。また、駆動部の回転駆動の継続により、ノイズ吸収接着剤４０が徐々に硬化されていく。その後、ノイズ吸収接着剤４０が完全に硬化し、これによりアーマチュアサブ組立体ＳＡへのノイズ吸収接着剤４０の塗布作業が完了する。
【００４７】
ここで、供給ノズルＮＺをより太いものとすることで、ディスペンサ機構ＤＳを矢印Ｍ１方向および矢印Ｍ２方向へ移動させなくて済む。これにより、接着剤塗布機によるノイズ吸収接着剤４０の塗布作業に係る時間を短縮できる。ただし、供給ノズルＮＺの太さは、ノイズ吸収接着剤４０の粘性等に基づいて設定するようにする。また、上述のようにディスペンサ機構ＤＳを矢印Ｍ１方向および矢印Ｍ２方向に移動させずに、アーマチュアサブ組立体ＳＡを矢印Ｍ１方向および矢印Ｍ２方向に移動させるようにしても良い。
【００４８】
完成したアーマチュアサブ組立体ＳＡは、その後、図１に示すように、ブラシホルダ２９とともにヨーク２２に装着され、これによりモータ部２０が形成される。また、ギヤケース５１にウォーム軸５４やウォームホイール５５等を組み込んで形成したギヤ部５０を準備するとともにコネクタ部材５２を準備する。そして、コネクタ部材５２を介してモータ部２０およびギヤ部５０を突き合わせて、各締結ネジ１１により固定する。これにより減速機構付モータ１０の組立作業が完了する。
【００４９】
以上詳述したように、本実施の形態に係る減速機構付モータ１０の組立方法によれば、コイル２４と各ライザ３１ａとの接続部３２に、粉状または粒状の半導体セラミック４２を含有し、電磁ノイズを吸収するノイズ吸収接着剤４０を塗布したので、塗布したノイズ吸収接着剤４０がバリスタの機能を発揮する。したがって、従前のようなリングバリスタを予め準備してこれを装着する必要が無くなり、組立作業工程の簡素化を図ることができる。
【００５０】
また、コンミテータ３０を回転させつつノイズ吸収接着剤４０を塗布するので、柔軟性を有する硬化前のノイズ吸収接着剤４０がコンミテータ３０の周方向に移動し、ノイズ吸収接着剤４０の周方向に沿う重量バランスが自動的に均一化される。したがって、硬化後のノイズ吸収接着剤４０は減速機構付モータ１０のスムーズな回転駆動を阻害することは無い。
【００５１】
さらに、塗布したノイズ吸収接着剤４０がバリスタの機能を有するため、コンミテータの径寸法に依らず所定の塗布作業で種々の仕様のコンミテータ（径寸法の異なるコンミテータ）に対応することができる。したがって、従前のような部品管理が不要となって、当該部品管理を簡素化できる。
【００５２】
また、本実施の形態に係る減速機構付モータ１０の組立方法によれば、半導体セラミック４２を鱗片形状に形成したので、ノイズ吸収接着剤４０が硬化して収縮する際に、各半導体セラミック４２を重なるよう接触させ易くできる。よって、製品毎に電流の流れ具合にバラツキが生じるのを抑制することができる。
【００５３】
さらに、本実施の形態に係る減速機構付モータ１０の組立方法によれば、ノイズ吸収接着剤４０には、カーボン粒子４３が混合されているので、当該カーボン粒子４３の混合状態（含有割合）を調整することで、ノイズ吸収接着剤４０を流れる電流を調整することができる。つまり、カーボン粒子４３の混合状態によりバリスタ機能の特性を調整することができる。
【００５５】
本発明は上記実施の形態に限定されるものではなく、その要旨を逸脱しない範囲で種々変更可能であることは言うまでもない。例えば、上記実施の形態においては、モータ装置として、自動車等の車両に搭載されるパワーウィンド装置の駆動源として用いられる減速機構付モータ１０を例に挙げたが、本発明はこれに限らず、コンミテータを備え、かつ電磁ノイズを発生し得る、減速機構を備えない車載用の他のモータ装置や、車載用以外の用途のモータ装置にも採用できる。例えば、ファンモータやワイパモータのように長時間回転を行うモータについても、本発明の技術を適用することでモータの寿命を延ばすことができる。
【符号の説明】
【００５７】
１０    減速機構付モータ（モータ装置）
１１    締結ネジ
２０    モータ部
２１    開口部
２２    ヨーク
２３    マグネット
２４    コイル（第１導電部材）
２５    アーマチュア（コア）
２６    アーマチュア軸（回転軸）
２７    第１軸受部材
２８    第２軸受部材
２９    ブラシホルダ
３０    コンミテータ
３１    コンミテータ片
３１ａ    ライザ（第２導電部材）
３２    接続部
３３    ブラシ
３４    バネ部材
４０    ノイズ吸収接着剤
４１    ワニス（樹脂）
４２    半導体セラミック（バリスタ機能物質）
４３    カーボン粒子（導電性を有する微粒子）
５０    ギヤ部
５１    ギヤケース
５２    コネクタ部材
５３    ウォーム部
５４    ウォーム軸
５５    ウォームホイール
５５ａ    ピニオン
５６    第３軸受部材
５７    第４軸受部材
５８    センサ基板
６０    連結部材
６１    アーマチュア軸側連結部材
６２    ウォーム軸側連結部材
ＳＡ    アーマチュアサブ組立体
ＤＳ    ディスペンサ機構
ＮＺ    供給ノズル
ＳＰ    供給ポンプ
【図１】
0005877002.tif 000002
【図２】
0005877002.tif 000003
【図３】
0005877002.tif 000004
【図４】
0005877002.tif 000005
【図５】
0005877002.tif 000006
【図６】
0005877002.tif 000007